(57)【特許請求の範囲】
【請求項１】
重ねて配置された複数の板状部材と、
前記複数の板状部材が相対的に水平移動するための移動レース部と、
前記移動レース部を前記板状部材に取り付ける取り付け固定ねじと、
前記取り付け固定ねじに隣接して設けられ、前記板状部材と前記レース部との固定の緩みを防止する止めねじと、
前記止めねじの先端部が接触するための凹み部を有するステージにおいて、
狭い間隔を空けて前記移動レース部の長手方向に並列して２つ配置された前記取り付け固定ねじと、
前記２つの取り付け固定ねじの間に配置された前記止めねじとからなる固定手段を有し、
前記固定手段によって前記板状部材に前記移動レース部を取り付け固定したことを特徴とするステージ。
【請求項２】
前記移動レース部の長手方向に並列して２つ配置された前記取り付け固定ねじの１つと前記２つの取り付け固定ねじの間に配置された前記止めねじとの間隔は、前記移動レース部の長手方向であり前記２つの取り付け固定ねじの一方の固定ねじに対峙して設けられる取り付け固定ねじとの間隔よりも小さいことを特徴とする請求項１に記載のステージ。
【請求項３】
前記固定手段は、１つの前記移動レース部の設置範囲に複数箇所設けられることを特徴とする請求項１又は２に記載のステージ。
【請求項４】
前記止めねじ及び前記取り付け固定ねじは、前記移動レース部から前記板状部材へねじ込まれ、
前記凹み部は、前記板状部材に設けられたことを特徴とする請求項１又は２に記載のステージ。
【請求項５】
前記止めねじ及び前記取り付け固定ねじは、前記板状部材から前記移動レース部へねじ込まれ、
前記凹み部は、前記移動レース部に設けられたことを特徴とする請求項１又は２に記載のステージ。
【請求項６】
請求項１乃至５のいずれか一項に記載のステージを備えたことを特徴とする顕微鏡。
【発明の詳細な説明】
【０００１】
【発明の属する技術分野】
本発明はステージに関し、特にＸＹ方向へ水平移動可能なステージの移動レースに関する。
【０００２】
【従来の技術】
従来、例えば顕微鏡に用いられるステージとして、Ｘ方向（顕微鏡の左右方向）及びＹ方向（顕微鏡の前後方向）への水平移動が可能である構成のものが提案されている。
以下、添付図面に基づいて顕微鏡に用いられる従来のステージについて説明する。図４（ａ），（ｂ），（ｃ）は、従来のステージの底面図及び側面図である。図４において、従来のステージは、顕微鏡のステージ設置面に設置される下板１０と、中板２０と、観察対象物（標本）を載置するための上板３０とが重ねて配置されている。また下板１０に対し、顕微鏡の前後方向（図４中のＹ方向）へ中板２０を水平移動させるためのレースガイド４０ａ，４０ｂと、Ｙ方向に対して垂直な方向である顕微鏡の左右方向（図４中のＸ方向）へ上板３０を水平移動させるためのレースガイド５０ａ，５０ｂとを有する。
【０００３】
図４（ｂ）に示すようにレースガイド４０ａ，４０ｂは、複数の取付固定ねじ６０と止めねじ７０とによって、中板２０の下面に下板１０を挟み込むように取り付けられている。そして、レースガイド４０ａ，４０ｂに設けられたレース溝と下板１０に設けられたレース溝との間には、複数の鋼球８０が転動可能に配置されている。斯かるレース構造によって中板２のＹ方向へのスムーズな水平移動を行うことができる。
また、図４（ｂ）に示すようにレースガイド５０ａ，５０ｂは、複数の取付固定ねじ６０と止めねじ７０とによって、上板３０の下面に中板２０を挟み込むように取り付けられている。そして、レースガイド５０ａ，５０ｂに設けられたレース溝と中板２０に設けられたレース溝との間には、複数の鋼球８０が転動可能に配置されている。斯かるレース構造によって上板３０のＸ方向へのスムーズな水平移動を行うことができる。
ここで止めねじ７０は、ステージを輸送する際等にステージ、特にレースガイドにかかる振動や衝撃等の負荷によって、上板３０（中板２０）に取り付けたレースガイド５０ａ，５０ｂ（４０ａ，４０ｂ）に緩みが生じることを防止するためのものである。
【０００４】
尚、レースガイドに緩みが生じることを防止するために、取付固定ねじ６０によってレースガイド４０ａ，４０ｂ（５０ａ，５０ｂ）を上板３０（中板２０）に取り付けた後に接着剤によって接着するという方法もある。
【０００５】
【発明が解決しようとする課題】
しかしながら、上述の従来のステージにおいてレースガイドを取り付ける際に、緩み止めの効果を十分に発揮させるために止めねじ７０を強い力でレースガイドにねじ込んだ場合、以下のような問題が生じる。
図５は、従来のステージにおいて止めねじ７０を強い力でレースガイドにねじ込むことによって生ずるレースガイドの変形を示す図である。
まず、止めねじ７０を強い力でねじ込むことによって、レースガイド４０ａの止めねじ７０付近部分（図５（ａ）中の斜線部）が、下板１０側（図５（ａ）中の矢印方向）へ変形してしまう。止めねじ７０は、中板２０に形成されたＶ溝(不図示)に嵌合して、レースガイド４０ａを固定する。そして、止めねじ７０の先端は、Ｖ溝の外側方向の斜面に接するように嵌合される。これによりレースガイド４０ａにおいて、鋼球８０を保持するレースの締め付けが部分的に強くなり、この部分が図５ａの右方向に押し付けられた状態になり、レースガイド４０ａがうねった状態になる。このため、中板２０を移動させる際に、レースの締め付けが強くなった部分において移動に要する力が大きくなり、中板２０のスムーズな移動を損ねてしまうという問題がある。
また、止めねじ７０を強い力でねじ込むことによって、レースガイド４０ａの止めねじ７０付近部分（図５（ｂ）中の斜線部）が、中板２０に対して浮く方向（図５（ｂ）中の矢印方向）へ変形してしまう。このため、中板２０のスムーズな移動を損なってしまうという問題がある。またこの変形は、顕微鏡のステージ位置が該顕微鏡の光軸方向へずれる原因となり、この状態でステージを移動させるとピントずれが生じやすくなってしまうという問題がある。
【０００６】
一方上述の問題を避けるために、止めねじ７０をレースガイドの変形が生じない程度の力で締めた場合、振動や衝撃による緩み止めの効果を十分に発揮することができないという問題がある。
【０００７】
またレースガイドを取り付ける際に、取付固定ねじ７０によってレースガイド４０ａ，４０ｂを中板２０に取り付けた後に接着剤にて接着する場合、次のような問題が生じる。接着剤にて接着する場合、一度接着してしまうと分解することが困難である。このため顕微鏡使用途中で、鋼球８０を保持するレース内にごみ等が入ることによって中板２０のスムーズな移動を損ねてしまった際等に、修理を行うことができなくなってしまうという問題がある。
【０００８】
尚、中板２０をＹ方向へ移動するためのレースガイド４０ａ，４０ｂを用いて問題点を述べたが、上板３０をＸ方向へ移動するためのレースガイド５０ａ，５０ｂにおいてもこれと同様の問題がある。
【０００９】
そこで本発明は上記問題点に鑑みてなされたものであり、移動レースによってＸＹ方向へのスムーズな水平移動を行い、振動や衝撃等を原因とする移動レースの緩みの発生を防止したステージ、及び該ステージを備えた顕微鏡を提供することを目的とする。
【００１０】
【課題を解決するための手段】
上記課題を解決するために請求項１に記載の発明は、
重ねて配置された複数の板状部材と、
前記複数の板状部材が相対的に水平移動するための移動レース部と、
前記移動レース部を前記板状部材に取り付ける取り付け固定ねじと、
前記取り付け固定ねじに隣接して設けられ、前記板状部材と前記レース部との固定の緩みを防止する止めねじと、
前記止めねじの先端部が接触するための凹み部を有するステージにおいて、
狭い間隔を空けて前記移動レース部の長手方向に並列して２つ配置された前記取り付け固定ねじと、
前記２つの取り付け固定ねじの間に配置された前記止めねじとからなる固定手段を有し、
前記固定手段によって前記板状部材に前記移動レース部を取り付け固定したことを特徴とするステージを提供する。
【００１１】
また、請求項２に記載のステージは、前記移動レース部の長手方向に並列して２つ配置された前記取り付け固定ねじの１つと前記２つの取り付け固定ねじの間に配置された前記止めねじとの間隔は、前記移動レース部の長手方向であり前記２つの取り付け固定ねじの一方の固定ねじに対峙して設けられる取り付け固定ねじとの間隔よりも小さいことを特徴とする。
また、請求項３に記載のステージは、
前記固定手段は、１つの前記移動レース部の設置範囲に複数箇所設けられることを特徴とする。
【００１２】
また、請求項４に記載のステージは、
前記止めねじ及び前記取り付け固定ねじは、前記移動レース部から前記板状部材へねじ込まれ、前記凹み部は、前記板状部材に設けられたことを特徴とする。
【００１３】
また、請求項５に記載のステージは、
前記止めねじ及び前記取り付け固定ねじは、前記板状部材から前記移動レース部へねじ込まれ、前記凹み部は、前記移動レース部に設けられたことを特徴とする。
【００１４】
また、請求項６に記載の顕微鏡は、
請求項１乃至５のいずれか一項に記載のステージを備えたことを特徴とする。
【００１５】
【発明の実施の形態】
以下、添付図面に基づいて本発明の実施の形態について詳細に説明する。
（第１実施形態）
図１（ａ），（ｂ），（ｃ）は、本発明の第１実施形態に係るステージの底面図及び側面図である。図１において、本発明の第１実施形態に係るステージは、顕微鏡等のステージ設置面に設置される下板１と、中板２と、観察対象物等を載置するための上板３とが重ねて配置されている。また、下板１に対して前後方向（図１中のＹ方向）へ中板２を水平移動させるためのレースガイド４ａ，４ｂと、Ｙ方向に対して垂直な方向である左右方向（図１中のＸ方向）へ上板３を水平移動させるためのレースガイド５ａ，５ｂとを有する。
【００１６】
図１（ａ）に示すように２本のレースガイド４ａ，４ｂは、中板２の下面に下板１を挟み込むように取り付けられている。そして、レースガイド４ａ，４ｂに設けられたレース溝と下板１に設けられたレース溝との間には、複数の鋼球８が転動可能に配置されている。このため、下板１に対して中板２をＹ方向へ水平移動（スライド）させる際に、レース内の鋼球が転動する。斯かるレース構造によって中板２のＹ方向へのスムーズな水平移動を行うことができる。
また、図１（ｂ）に示すように２本のレースガイド５ａ，５ｂは、上板３の下面に中板２を挟み込むように取り付けられている。そして、レースガイド５ａ，５ｂに設けられたレース溝と中板２に設けられたレース溝との間には、複数の鋼球８が転動可能に配置されている。このため、中板２に対して上板３をＸ方向へ水平移動させる際に、レース内の鋼球が転動する。斯かるレース構造によって上板３のＸ方向へのスムーズな水平移動を行うことができる。
【００１７】
次に、レースガイド４ａ，４ｂの中板２への取り付け方法について詳細に説明する。
取付固定ねじ６ａ，６ｂは、レースガイド４ａ，４ｂを中板２に取り付けるためのものである。また止めねじ７は、ステージを輸送する際等にステージ、特にレースガイドにかかる振動や衝撃等の負荷によって、中板２に取り付けたレースガイド４ａ，４ｂに緩みが生じることを防止するためのものである。
【００１８】
レースガイド４ａ，４ｂにおいて、２個の取付固定ねじ６ａ，６ｂは該レースガイド４ａ，４ｂの長手方向に沿って小さい間隔を空けて配置され、止めねじ７は２個の取付固定ねじ６ａ，６ｂ同士の中央部に配置される。このため、３個のねじ同士の間隔、即ち取付固定ねじ６ａと止めねじ７との間隔と止めねじ７と取付固定ねじ６ｂとの間隔はそれぞれ小さい。従って、レースガイド４ａ，４ｂの止めねじ７付近部分は取付固定ねじ６ａ，６ｂによって固定されることとなるため、止めねじ７を強い力でねじ込む際に、レースガイド４ａ，４ｂの止めねじ７付近部分が変形する余地は非常に少なくなる。このため、上述の問題点の一つであるレースガイド４ａ，４ｂの止めねじ７付近部分の下板１側への変形を防止することができる。よって３個のねじ同士の間隔は、該３個のねじのねじ穴同士が接触することがなく、レースガイド４ａ，４ｂの下板１側への変形を十分防止することができる程度の小さい間隔である。
【００１９】
図２（ａ）及び図２（ｂ）はそれぞれ、図１（ｂ）におけるＡ−Ａ断面図及びＢ−Ｂ断面図である。
図２（ａ）において、取付固定ねじ６ａはレースガイド４ａ側から中板２へ向かってねじ込まれている。
図２（ｂ）において、中板２には、レースガイド４ａの止めねじ７のねじ穴に対応する箇所にＶ字形状の溝２ａが設けられている。そして、止めねじ７はレースガイド４ａ側から中板２へ向かって強い力でねじ込まれることにより、止めねじ７の先端部分が溝の片側の斜面２ｂに押し当てられる。また、止めねじ７の先端部分が斜面２ｂに押し当てられることによって、先端部分と斜面２ｂとの接触面積が大きくなる。
【００２０】
２個の取付固定ねじ６ａ，６ｂと、止めねじ７と、Ｖ字形状の溝２ａとを１組の固定部として、複数組の固定部がレースガイド４ａ，４ｂの長手方向に配置される。また、複数組の固定部は、輸送中の振動や衝撃によるレースガイド４ａ、４ｂの位置ずれや中板２をスライドさせた時のレースガイド４ａ、４ｂの変形が生じない程度の間隔を確保し、レースガイド４ａ，４ｂの長手方向に沿って配置される。
【００２１】
次に、レースガイド５ａ，５ｂの上板３への取り付けについて詳細に説明する。レースガイド５ａ，５ｂの上板３への取り付けは、上述のレースガイド４ａ，４ｂの中板２への取り付けと同様である。レースガイド５ａ，５ｂの取り付けは、２個の取付固定ねじ６ａ，６ｂと、止めねじ７と、レースガイド５ａ，５ｂの止めねじ７のねじ穴に対応する箇所に設けられたＶ字形状の溝（不図示）とを１組の固定部として、複数組の固定部をレースガイド５ａ，５ｂの長手方向に配置することによってなされる。
【００２２】
本実施形態に係るステージは、レースガイド４ａ，４ｂ（５ａ，５ｂ）を中板２（上板３）へ取り付ける際に、レースガイド上に狭い間隔で配置した２個の取付固定ねじ６ａ，６ｂの間に止めねじ７を配置している。このため、レースガイドに止めねじ７を強い力でねじ込むことによるレースガイドの止めねじ７付近部分の下板１（中板２）側への変形が防止されるため、中板２（上板３）のＹ方向（Ｘ方向）へのスムーズな移動を損ねることがない。また、レースガイドの止めねじ７付近部分が、中板２（上板３）に対して浮く方向へ変形することも防止されるため、中板２（上板３）のスムーズな移動を損ねることがない。
【００２３】
以上より本実施形態に係るステージは、レースガイドに止めねじをねじ込む際に、止めねじが振動や衝撃に対する緩み止めの効果を十分に発揮するように強い力でねじ込むことができる。従って、止めねじの先端部分をＶ字形状の溝の片側の斜面に強い力で押し当てることが可能となる。これによって、先端部分と斜面との接触面積をより大きくすることができるため、緩み止めの効果もより大きくなる。
さらに、本実施形態に係るステージを顕微鏡に用いる場合、顕微鏡の上下方向の歪も防止でき、ステージのＸＹ方向への移動に伴うピントのずれも非常に小さくすることができる。
また、レースガイドの中板２（上板３）へ取り付けにおいて接着剤を用いていないため、修理等の際に移動レースを分解する必要がある場合でも、該移動レースを容易に分解することができる。
【００２４】
尚、上述のように本実施形態において、レースガイドと中板２（上板３）との間に、鋼球８を転動可能に配置することによって中板２（上板３）のスムーズな移動を行っている。しかしこれに限られず、レースガイドと中板２（上板３）との間に、向きを一つおきに変えた複数の円柱コロを配置することによって中板２（上板３）のスムーズな移動を行う構成とすることもできる。
尚、上述のように本実施形態において、中板２及び上板３にＶ字形状の溝を設ける構成としている。しかしＶ字形状の溝に限られず、中板２及び上板３には、止めねじ７の先端部分と接触するための斜面を有する凹み部を備えた構成であればよい。
【００２５】
また、上述のように本実施形態において、止めねじ７は、レースガイド４ａ，４ｂ（５ａ，５ｂ）側から中板２（上板３）へ向かってねじ込まれる構成である。しかしこれに限られず、止めねじ７のねじ穴を中板２（上板３）に設け、Ｖ字形状の溝をレースガイド４ａ，４ｂ（５ａ，５ｂ）に設けることによって、止めねじ７を中板２（上板３）側からレースガイド４ａ，４ｂ（５ａ，５ｂ）へ向かってねじ込む構成とすることもできる。また、固定ねじのねじ込み方向についても同様である。
また本実施形態において、下板１、中板２、上板３、及びレースガイド４ａ，４ｂ（５ａ，５ｂ）等は、加工性や硬さ等の観点からアルミを材料として製造される。しかしこれに限られず、鋼材等を材料として製造することもできる。また、より歪み難い材料でレースガイド４ａ、４ｂを製造すれば、より歪み難い固定を実現できる。
【００２６】
（第２実施形態）
図３は、本発明の第２実施形態に係る顕微鏡の一例を示す概略構成図である。本実施形態に係る顕微鏡２００は、透過照明部２２と接眼観察部２３とを有する。顕微鏡２００のステージ２１上に配置された不図示の標本は、透過照明部２２からの照明光にて照明される。そして照明された標本からの光が、対物レンズ２４と不図示の光学系を介して接眼観察部２３または撮像部２６に導かれる。このようにして観察者は標本を肉眼観察することができる。尚、ステージ２１については後述する。
また本実施形態に係る顕微鏡２００は、落射照明部２５と撮像部２６とを有する。顕微鏡２００のステージ２１上に配置された不図示の標本は、例えば蛍光観察の場合、落射照明部２５からの励起光にて照明される。これによって標本から発生した蛍光は、不図示の光学系を介して撮像部２６または接眼観察部２３に導かれる。このようにして観察者は標本を蛍光観察することができる。
【００２７】
次に、本実施形態に係る顕微鏡のステージ２１について説明する。
本実施形態に係る顕微鏡２００のステージ設置面２００ａには、上記第１実施形態に係るステージと同様の構成のステージ２１が設置されている。ステージ２１は、上述の移動レースによって、上板３を図中のＸ方向、中板２を図中のＹ方向へそれぞれ水平移動させることができる。このため観察者は、ステージ２１に配置した不図示の標本をＸＹ方向へ移動することができる。従って、標本の所望の箇所を視野の中心に配置して観察することができる。
【００２８】
本実施形態に係る顕微鏡２００において、ステージ２１は上記第１実施形態に係るステージが奏する効果と同様の効果を奏する。
以上より本実施形態に係る顕微鏡は、標本をＸＹ方向へスムーズに移動させることができる。また本実施形態に係る顕微鏡は、標本をＸＹ方向へ移動する際に生じるピントのずれを非常に小さく抑えることができる。
【００２９】
【発明の効果】
本発明により、移動レースによってＸＹ方向へのスムーズな水平移動を行い、振動や衝撃等を原因とする移動レースの緩みの発生を防止したステージ、及び該ステージを備えた顕微鏡を提供することができる。
【図面の簡単な説明】
【図１】本発明の第１実施形態に係るステージの底面図及び側面図である。
【図２】図１（ｂ）におけるＡ−Ａ断面図及びＢ−Ｂ断面図である。
【図３】本発明の第２実施形態に係る顕微鏡の一例を示す概略構成図である。
【図４】従来のステージの底面図及び側面図である。
【図５】従来のステージにおいて止めねじ７０を強い力でレースガイドにねじ込むことによって生ずるレースガイドの変形を示す図である。
【符号の説明】
１，１０      下板
２，２０      中板
３，３０      上板
２ａ          溝
４ａ，４ｂ，５ａ，５ｂ，４０ａ，４０ｂ，５０ａ，５０ｂ      レースガイド
６ａ，６ｂ，６０      取付固定ねじ
７，７０      止めねじ
８，８０      鋼球
【図１】
0004123789.tif 000002
【図２】
0004123789.tif 000003
【図３】
0004123789.tif 000004
【図４】
0004123789.tif 000005
【図５】
0004123789.tif 000006